(57)【要約】【課題】例えば工具等の長尺状の棒状体が矩形状開口から進入された場合でも、スライダがロック位置から解除位置に向けて移動することを防止できる自動販売機のロック装置を提供すること。【解決手段】ロック部材（Ｒ）と、横断面が略コ字状をなし、かつ自身に形成されたスライダ開口３１１１から進入したロック部材と係合可能なロック位置と、ロック部材との係合を解除する解除位置との間を移動可能となる態様で配設されたスライダ３１とを備えた自動販売機のロック装置において、スライダ３１は、スライダ開口３１１１から長尺状の棒状体である工具Ｋが進入された場合に、工具Ｋの先端に当接する当接片３１２２を自身の延在端部の所定個所に一体的に形成してなるものである。【選択図】図１３
2010262521.tif 000002
【特許請求の範囲】
【請求項１】
前面が開口した直方状をなし、かつ内部に商品を収容する自動販売機本体と、前記自動販売機本体の前面開口を開閉可能とする態様で配設された扉体との一方に取り付けられたロック部材と、
横断面が略コ字状をなし、かつ自身に形成された矩形状開口から進入した前記ロック部材と係合可能なロック位置と、前記ロック部材との係合を解除する解除位置との間を移動可能となる態様で前記自動販売機本体と前記扉体との他方に配設されたスライダと
を備え、
前記ロック部材と前記スライダとが係合することにより、前記扉体が前記自動販売機本体の前面開口を閉成した状態を保持する一方、前記ロック部材と前記スライダとの係合が解除されることにより、前記扉体が開移動して前記自動販売機本体の前面開口が開成されることを許容する自動販売機のロック装置において、
前記スライダは、前記矩形状開口から長尺状の棒状体が進入された場合に、該棒状体の先端に当接する当接片を自身の延在端部の所定個所に一体的に形成してなることを特徴とする自動販売機のロック装置。
【請求項２】
前記スライダがロック位置から解除位置に移動した場合に、該スライダを解除位置に保持する一方、解除位置に位置するスライダに前記ロック部材が進入して該ロック部材に押下された場合に、該スライダの保持を解除し、該スライダが解除位置からロック位置に移動することを許容するスライダ保持部材を備えてなり、
前記スライダ保持部材は、前記矩形状開口から長尺状の棒状体が進入された場合に、該棒状体の先端を前記当接片に当接させるための切欠部が形成してなることを特徴とする請求項１に記載の自動販売機のロック装置。
【発明の詳細な説明】
【技術分野】
【０００１】
本発明は、自動販売機のロック装置に関し、より詳細には、自動販売機本体及び扉体の一方に配設されたロック部材と、他方に配設されたスライダとが係合することにより、扉体が自動販売機本体の前面開口を閉成した状態を保持する一方、ロック部材とスライダとの係合が解除されることにより、扉体が開移動して自動販売機本体の前面開口が開成されることを許容する自動販売機のロック装置に関するものである。
【背景技術】
【０００２】
一般に、自動販売機は、前面が開口した直方状をなし、内部に商品を収容する自動販売機本体と、この自動販売機本体の前面開口を開閉可能に配設された扉体とを備えている。そして、扉体には、矩形状の開口が形成され、かつロック位置と解除位置との間を上下方向に沿ってスライド移動可能に支持部材に支持されたスライダが配設されている。スライダは、横断面が略コ字状をなしており、スライダ保持部材により解除位置に保持されている場合には、自動販売機本体に配設されたフック状の金具であるロック部材が自身の矩形状開口に進入することを許容しているが、該ロック部材と係合していない。そのため、扉体を開移動させることにより自動販売機本体の前面開口は開成され、商品の補充等が可能である。
【０００３】
その一方、扉体を閉移動させて自動販売機本体の前面開口を閉成することにより、スライダ保持部材により解除位置に保持されたスライダの矩形状開口にロック部材が進入し、該ロック部材がスライダ保持部材を押下することにより、スライダ保持部材による保持が解除され、スライダは自身の自重により解除位置からロック位置に移動する。これにより、スライダの矩形状開口の上縁部とロック部材とが当接し、スライダとロック部材とが係合する。このようにスライダとロック部材とが係合することにより、扉体が自動販売機本体の前面開口を閉成した状態が保持されることになる（例えば、特許文献１参照）。
【先行技術文献】
【特許文献】
【０００４】
【特許文献１】特開２００２−３４２８２７号公報
【発明の概要】
【発明が解決しようとする課題】
【０００５】
ところで、扉体が自動販売機本体の前面開口を閉成した状態が保持されている状態において、扉体に設けられた防盗板をめくって、例えばドライバ等の長尺状の棒状体である工具がスライダの矩形状開口から進入された場合、スライダは横断面が略コ字状をなしているために、該工具の先端は、スライダ保持部材、あるいは支持部材（以下、スライダ保持部材等ともいう）に当接してしまい、その中間部がスライダの矩形状開口の縁部に当接することになる。かかる状態で、先端を支点として工具を例えば上下方向に沿って揺動させると、てこの原理によりスライダがスライダ保持部材等と分離して、ロック位置から解除位置にスライド移動させられてしまう虞れがある。このようにスライダがロック位置から解除位置にスライド移動させられてしまうと、スライダとロック部材との係合が解除され、扉体を開移動させることにより自動販売機本体の前面開口を開成させることが可能になってしまい、妥当でない。
【０００６】
本発明は、上記実情に鑑みて、例えば工具等の長尺状の棒状体が矩形状開口から進入された場合でも、スライダがロック位置から解除位置に向けて移動することを防止できる自動販売機のロック装置を提供することを目的とする。
【課題を解決するための手段】
【０００７】
上記目的を達成するために、本発明の請求項１に係る自動販売機のロック装置は、前面が開口した直方状をなし、かつ内部に商品を収容する自動販売機本体と、前記自動販売機本体の前面開口を開閉可能とする態様で配設された扉体との一方に取り付けられたロック部材と、横断面が略コ字状をなし、かつ自身に形成された矩形状開口から進入した前記ロック部材と係合可能なロック位置と、前記ロック部材との係合を解除する解除位置との間を移動可能となる態様で前記自動販売機本体と前記扉体との他方に配設されたスライダとを備え、前記ロック部材と前記スライダとが係合することにより、前記扉体が前記自動販売機本体の前面開口を閉成した状態を保持する一方、前記ロック部材と前記スライダとの係合が解除されることにより、前記扉体が開移動して前記自動販売機本体の前面開口が開成されることを許容する自動販売機のロック装置において、前記スライダは、前記矩形状開口から長尺状の棒状体が進入された場合に、該棒状体の先端に当接する当接片を自身の延在端部の所定個所に一体的に形成してなることを特徴とする。
【０００８】
また、本発明の請求項２に係る自動販売機のロック装置は、上述した請求項１において、前記スライダがロック位置から解除位置に移動した場合に、該スライダを解除位置に保持する一方、解除位置に位置するスライダに前記ロック部材が進入して該ロック部材に押下された場合に、該スライダの保持を解除し、該スライダが解除位置からロック位置に移動することを許容するスライダ保持部材を備えてなり、前記スライダ保持部材は、前記矩形状開口から長尺状の棒状体が進入された場合に、該棒状体の先端を前記当接片に当接させるための切欠部が形成してなることを特徴とする。
【発明の効果】
【０００９】
本発明によれば、スライダは、矩形状開口から長尺状の棒状体が進入された場合に、該棒状体の先端に当接する当接片を自身の延在端部の所定個所に一体的に形成してなるので、棒状体の先端及び中間部はいずれも同一部材であるスライダに当接していることになり、先端を支点として棒状体を揺動させても、てこの原理によりスライダが変形してしまうだけで、スライダがスライダ保持部材等と分離して、ロック位置から解除位置にスライド移動させられてしまう虞れがない。従って、スライダがロック位置から解除位置に向けて移動することを防止できるという効果を奏する。
【図面の簡単な説明】
【００１０】
【図１】図１は、本発明の実施の形態であるロック装置が適用された自動販売機を示すもので、内部構造を示す斜視図である。
【図２】図２は、図１に示した外扉の袋部の内部に配設されたスライダ等、ロック装置を構成する要部を示す斜視図である。
【図３】図３は、図２に示したロック装置の要部を拡大して模式的に示す斜視図である。
【図４】図４は、図２に示したスライダを分解して示す分解斜視図であり、図２及び図３と反対側から見た場合を示している。
【図５】図５は、図２に示したスライダを上方から見た場合を示す拡大平面図である。
【図６】図６は、図３に示したロック装置の要部の一部を模式的に示す斜視図である。
【図７】図７は、図２に示したロック装置の要部の動作を拡大して模式的に示す斜視図である。
【図８】図８は、図２に示したロック装置の要部の動作を拡大して模式的に示す斜視図である。
【図９】図９は、図２に示したロック装置の要部の動作を拡大して模式的に示す斜視図である。
【図１０】図１０は、図９に示したロック装置の要部の一部を模式的に示す斜視図である。
【図１１】図１１は、図２に示したロック装置の要部の動作を拡大して模式的に示す斜視図である。
【図１２】図１２は、図１１に示したロック装置の要部の一部を模式的に示す斜視図である。
【図１３】図１３は、図５において工具が挿入された場合を示す平面図である。
【発明を実施するための形態】
【００１１】
以下、添付図面を適宜参照しながら本発明に係る自動販売機のロック装置の好適な実施の形態について詳細に説明する。
【００１２】
図１は、本発明の実施の形態であるロック装置が適用された自動販売機を示すもので、内部構造を示す斜視図である。ここで例示する自動販売機は、例えば缶入り飲料、ペットボトル入り飲料、紙パック入り飲料等の商品を冷却若しくは加熱した状態で販売するもので、自動販売機本体である本体キャビネット１を備えている。
【００１３】
本体キャビネット１は、前面が開口した直方状をなすもので、内部が２つに区画されて上側が商品収容庫２、下側が機械室３となっている。商品収容庫２は、その内部を予め設定された温度状態に保持する室であり、商品収容庫２を構成する壁部材はそれぞれ断熱材によって形成してある。また、図には明示していないが、冷凍サイクルを構成する蒸発器等、内部雰囲気を冷却するための冷却手段や、電熱ヒータ等、内部雰囲気を加熱するための加熱手段が設けてある。
【００１４】
このような商品収容庫２には、詳細な説明は割愛するが、商品ラック４とバケット駆動手段５とが設けてある。商品ラック４は、複数の商品収納コラムを左右方向に沿って並設することによって構成したもので、個々の商品収納コラムに画成した商品収納通路に複数の商品を前後方向に整列した状態で収納することが可能である。このような商品ラック４は、商品収容庫２において左右一対となる態様で取り付けたラック支持側板（図示せず）間に架け渡される態様で上下方向に沿って複数段設けてある。尚、本明細書において、左側とは、自動販売機を正面から見た場合の左方を示し、右側とは、自動販売機を正面から見たい場合の右方を示すものとして説明する。
【００１５】
バケット駆動手段５は、Ｘ軸搬送機構とＹ軸搬送機構との組立体として構成したものである。Ｘ軸搬送機構は、本体キャビネット１の内部であって商品ラック４の前方域において左右方向に沿って延在するレール部材を備え、Ｘ軸モータの駆動によりレール部材の延在方向（左右方向）に沿って搭載するバケットを移動させるものである。
【００１６】
Ｙ軸搬送機構は、左右一対の搬送支持枠に設けたものである。これら搬送支持枠の上端部近傍にはプーリが回転自在となる態様で配設してある。このプーリには、長尺状の索状体であるベルトが掛け回してあり、このベルトの一端にはウエイターが接続され、他端には上記レール部材を保持するための保持部材が接続されている。そして、Ｙ軸搬送機構は、Ｙ軸モータの駆動によりプーリが回転し、これにより保持部材に保持されるレール部材、並びにバケットを搭載するＸ軸搬送機構を上下方向に沿って移動させるものである。
【００１７】
上記機械室３には、上記蒸発器とともに冷凍サイクルを構成する冷凍機（圧縮機及び凝縮器）や、各種制御機器等が設けてある。
【００１８】
上記本体キャビネット１の前面には、内扉１０及び外扉（扉体）２０が設けてある。内扉１０は、断熱ガラス等の透明板を嵌め込んで形成したものであり、商品収容庫２の前面を覆うのに十分な大きさを有している。この内扉１０は閉移動して商品収容庫２の前面を閉塞する場合には、該商品収容庫２の前面を構成する断熱部材である。
【００１９】
この内扉１０の透明板の中央部右側下方域には、矩形状の商品搬出口１１が形成されるとともに、該商品搬出口１１を開閉するための搬出フラッパ１２が設けられている。搬出フラッパ１２は、下端が自由端となる態様で前後方向に揺動可能に軸支され、常態においては自身の自重により商品搬出口１１を閉成するものである。
【００２０】
外扉２０は、本体キャビネット１の前面開口を開閉するためのものであり、必要に応じて断熱材を用いて構成してあり、断熱ガラス等の透明板を嵌め込んでなるウインドウ２１を有している。従って、当該自動販売機は外扉２０のウインドウ２１を介して内部を視認可能ないわゆるビュータイプのものである。また、外扉２０の正面には、図には明示しないが、販売商品を選択するための商品選択ボタンや、貨幣を投入するための入金口等、商品を自動販売する際に必要となる構成が配設してある。
【００２１】
上記本体キャビネット１及び上記外扉２０には、ロック装置を構成するロック部材Ｒ及びスライダ３１（図２参照）がそれぞれ配設してある。ロック部材Ｒは、図１に示すように、本体キャビネット１の右方側前端の所定個所に配設してある。このロック部材Ｒは、従来公知のものであり、フック状の形態をなす金具である。スライダ３１は、外扉２０の開放端に形成された袋部２２の内部に配設してある。図１中の符号２３は、ロック部材Ｒと同じ高さレベルに形成され、該ロック部材Ｒの進入を許容する袋部２２の開口である。
【００２２】
図２は、図１に示した外扉２０の袋部２２の内部に配設されたスライダ３１等、ロック装置を構成する要部を示す斜視図であり、図３は、図２に示したロック装置の要部を拡大して模式的に示す斜視図であり、図４は、図２に示したスライダ３１を分解して示す分解斜視図であり、図２及び図３と反対側から見た場合を示している。図５は、図２に示したスライダ３１を上方から見た場合を示す拡大平面図である。これら図２〜図５に例示するように、ロック装置は、スライダ３１の他、連結部材３２、シリンダーレバー３３及び規制部材３４を備えて構成してある。
【００２３】
スライダ３１は、鋼板等の板材を適宜屈曲して構成したもので、横断面が略コ字状をなしており、基部３１１における袋部２２の開口２３に対応する位置に矩形状の開口（以下、スライダ開口ともいう）３１１１が形成してある。スライダ３１の両側部３１２の上方には、上下方向が長手方向となる長孔３１２１が形成してある。このスライダ３１は、外扉２０の袋部２２に固着された横断面がコ字状をなすスライダ支持片（支持部材）３５の内部に進入した状態で上下方向に沿ってスライド移動可能に配設されている。より詳細に説明すると、スライダ支持片３５の両側部３５１には、貫通孔３５１１が形成してあり、図示せぬスライダピン部材が該貫通孔３５１１及び長孔３１２１を挿通することにより、スライダ３１は上下方向に沿ってスライド移動可能に配設されている。ここでスライダピン部材と長孔３１２１の下縁部が当接する位置がスライダ３１の上方向への移動の上限位置であり、スライダピン部材と長孔３１２１の上縁部が当接する位置がスライダ３１の下方向への移動の下限位置である。上限位置が解除位置であり、下限位置がロック位置である。つまり、スライダ３１は、ロック位置と解除位置との間を移動可能に配設されている。
【００２４】
このようなスライダ３１の内部には、スライダ保持部材３６が上記スライダピン部材に挿通された態様で該スライダピン部材の軸心回りに揺動可能となる態様で軸支されている。このスライダ保持部材３６は、鋼板等の板材を適宜屈曲して横断面が略コ字状をなしており、外扉２０の開放端側に位置する側部３６１の下方側延在端部には、スライダ３１の基部３１１（外扉２０の裏面側）に向けて突出する掛部３６１１が形成されており、スライダピン部材に巻回されたコイルバネからなるバネ部材Ｂにより常時スライダ３１の基部３１１に向けて付勢されている。
【００２５】
このようなスライダ保持部材３６は、スライダ３１が上方に向けてスライド移動して上限位置、すなわち解除位置に位置する場合に、掛部３６１１がスライダ開口３１１１から突出して、該スライダ開口３１１１の上縁部と係合してスライダ３１を解除位置に位置させた状態で保持するものである。
【００２６】
その一方、スライダ保持部材３６は、外扉２０の閉移動により本体キャビネット１の前面開口を閉成する場合には、本体キャビネット１に配設されたロック部材Ｒが袋部２２の開口２３を通過した後にスライダ開口３１１１を通じてスライダ３１の内部に進入することになるが、内部に進入したロック部材Ｒが該スライダ保持部材３６の基部３６２に形成された当接部３６２１に当接することによりバネ部材Ｂの付勢力に抗してスライダ３１の基部３１１から離隔する態様で揺動することになる。このようにスライダ保持部材３６がスライダ３１の基部３１１から離隔する態様で揺動すると、掛部３６１１とスライダ開口３１１１の上縁部との係合が解除され、スライダ３１は、自身の自重により下方に向けてスライド移動して下限位置、すなわちロック位置に至る。これによりスライダ開口３１１１の上縁部とロック部材Ｒとが当接し、スライダ３１は、ロック位置にてロック部材Ｒと係合することになる。
【００２７】
上記スライダ３１において、外扉２０の開放端と反対側に位置する側部３１２の延在端部の所定個所、すなわちスライダ保持部材３６と同程度の高さレベルの個所には、当接片３１２２が溶接により一体的に形成されている。当接片３１２２は、該側部３１２の延在端部から開放端側の側部３１２に向けて延在する態様で設けてある。また、スライダ保持部材３６の基部３６２において、外扉２０の開放端と反対側の領域、すなわち当接片３１２２に対向する領域には切欠部３６２２が形成してある。
【００２８】
連結部材３２は、鋼板等の板材を適宜屈曲して形成したもので、スライダ３１の下端部に外扉２０の開放端と反対方向に向けて突出する態様で一体的に形成してある。このような連結部材３２は、図６に示すように、水平方向に沿って延在する水平部３２１と、この水平部３２１の端部より下方に向けて延在する垂下部３２２とを有している。垂下部３２２において、その延在端部にはフック部３２３が形成してある。
【００２９】
シリンダーレバー３３は、外扉２０の正面に設けられたキー挿入口（図示せず）に挿入されたキーの施錠操作及び解錠操作に応じて回動するキーシリンダーの内筒に、自身の軸部の軸心回りに揺動する態様で軸支してある（キーシリンダーの外筒は外扉２０の枠材に固着されている）。より詳細には、キーの挿入口に挿入されたキーの解錠操作により、上方に向けて解錠移動する一方、該キーの施錠操作により、下方に向けて施錠移動するものである。このシリンダーレバー３３は、楕円状部３３１を有しており、この楕円状部３３１において軸部と異なる部分にロッド部材３３２が連結部材３２の垂下部３２２に向けて突設している。このロッド部材３３２は、連結部材３２の水平部３２１の下方域に位置している。
【００３０】
規制部材３４は、鋼板等の板材を適宜屈曲して形成したもので、規制ピン部材３７を介して外扉２０の枠材に該規制ピン部材３７の中心軸を自身の軸心としてその軸心回りに揺動可能に配設してある。この規制部材３４は、下方が開放された溝部３４１が形成してあるとともに重錘部３４２が形成してあり、かかる重錘部３４２により、図３に示すように規制位置に位置している。規制部材３４が規制位置に位置する場合、溝部３４１に連結部材３２のフック部３２３の進入を許容している。つまり、規制部材３４は、規制位置に位置する場合、溝部３４１がフック部３２３の上方域に位置することになる。
【００３１】
この規制部材３４とシリンダーレバー３３との間には、ガイド部材３８が介在している。ガイド部材３８は、規制部材３４に連結してあり、シリンダーレバー３３が解錠移動する場合に、シリンダーレバー３３の楕円状部３３１の周縁部の一部に当接されて、図７に示すように、規制位置に位置する規制部材３４を重錘部３４２の重力に抗して上方向に揺動させて許容位置に移動させるものである。ここで、シリンダーレバー３３が解錠移動する場合に、シリンダーレバー３３のロッド部材３３２が連結部材３２の水平部３２１の下面に当接する前に、シリンダーレバー３３の楕円状部３３１の周縁部の一部がガイド部材３８に当接するように予め調整してある。これにより、シリンダーレバー３３のロッド部材３３２が連結部材３２の水平部３２１に当接する前に規制部材３４が許容位置に位置することになり、連結部材３２のフック部３２３は、規制部材３４の溝部３４１から離脱することになる。
【００３２】
以上のような構成を有するロック装置が適用された自動販売機では、次のようにして本体キャビネット１の内部に商品補充等の作業を行うことができる。
【００３３】
まず、外扉２０が本体キャビネット１の前面開口を閉成した状態をロック装置が保持している場合から説明する。かかる場合、ロック装置を構成するスライダ３１はロック位置に位置してロック部材Ｒと係合しており、規制部材３４は規制位置に位置している。
【００３４】
このような場合に、心ない第三者により外扉２０の防盗板２４（図５参照）がめくられ、ロック位置に位置するスライダ３１のスライダ開口３１１１に異物を挿入させてスライダ３１を上方に向けてスライド移動させようとしても、図８に示すように、該スライダ３１に一体的に形成された連結部材３２のフック部３２３が規制位置に位置している規制部材３４に当接して、スライダ３１をそれ以上上方に向けてスライド移動させることが規制されている。
【００３５】
そして、当該自動販売機に対して商品補充等の作業を行うルートマンによりキー挿入口にキーが挿入されて該キーを解錠操作することにより、シリンダーレバー３３は、図７に示すように上方に向けて解錠移動する。このように解錠するシリンダーレバー３３の周縁部の一部がガイド部材３８に当接することにより、規制部材３４が重錘部３４２の重力に抗して規制位置から許容位置に向けて揺動する。これにより連結部材３２のフック部３２３は、規制部材３４の溝部３４１から離脱する。つまり、規制部材３４は、自身が規制位置に位置している場合には、連結部材３２の上方への変位量を規制してスライダ３１がロック位置から解除位置へスライド移動することを抑制している一方、自身が許容位置に位置している場合には、連結部材３２の変位を許容するものである。
【００３６】
その後、図９及び図１０に示すように、解錠移動するシリンダーレバー３３のロッド部材３３２が連結部材３２の水平部３２１の下面に当接し、該ロッド部材３３２に押圧されて連結部材３２が上方に向けて変位する結果、連結部材３２が一体的に形成されたスライダ３１もロック位置から解除位置に向けてスライド移動する。
【００３７】
このようにしてスライダ３１が上方に向けてスライド移動して解除位置に位置すると、スライダ保持部材３６の掛部３６１１がスライダ開口３１１１から裏面側に突出して、該スライダ開口３１１１の上縁部と係合してスライダ３１を解除位置に位置させた状態で保持する。このようにしてスライダ３１が解除位置に保持されると、ロック部材Ｒとの係合状態が解除される。
【００３８】
ここで連結部材３２は、水平部３２１と垂下部３２２とから構成されており、下方が開放された形態をなしている。そのため、ルートマンがキー挿入口からキーを抜き出すためにキーを施錠操作しても、図１１及び図１２に示すように、スライダ３１を解除位置に位置させた状態でシリンダーレバー３３の下方への施錠移動を許容する。
【００３９】
つまり、連結部材３２は、スライダ３１に一体的に配設され、かつシリンダーレバー３３が解錠移動する場合には、該シリンダーレバー３３に当接されることにより自身が変位してスライダ３１をロック位置から解錠位置に移動させる一方、シリンダーレバー３３が施錠移動する場合には、該施錠移動を常時許容するものである。
【００４０】
このように連結部材３２がシリンダーレバー３３の施錠移動を常時許容することから、ルートマンは、キー挿入口からキーを抜き出した後、外扉２０を開移動させることにより本体キャビネット１の前面開口を開成させることができ、その後内扉１０を開移動させて商品補充等の作業を行うことができる。
【００４１】
この場合において、規制部材３４は、シリンダーレバー３３が施錠移動した場合でも、解除位置に位置するスライダ３１に一体的に形成された連結部材３２のフック部３２３の先端が当接していることにより許容位置に位置することになる。
【００４２】
そして、商品補充等の作業を行った後、ルートマンは、外扉２０を閉移動させて本体キャビネット１の前面開口を閉成させることにより、本体キャビネット１のロック部材Ｒがスライダ開口３１１１を通じてスライダ３１の内部に進入し、スライダ保持部材３６の基部３６２に形成された当接部３６２１に当接する。これによりスライダ保持部材３６がスライダ３１の基部３１１から離隔する態様で揺動して、掛部３６１１とスライダ開口３１１１の上縁部との係合が解除され、スライダ３１は、自身の自重により下方に向けてスライド移動して下限位置、すなわちロック位置に至り、スライダ開口３１１１の上縁部とロック部材Ｒとが当接し、スライダ３１がロック位置にてロック部材Ｒと係合して、外扉２０が本体キャビネット１の前面開口を閉成した状態を保持することができる。つまり、商品補充等の作業を行った後、外扉２０を閉移動させて本体キャビネット１の前面開口を閉成させる場合に、従来のようにキー挿入口にキーを再度挿入して解錠操作等を行う必要がない。
【００４３】
ところで、上述したロック装置においては、スライダ３１には、一の側部３１２（外扉２０の開放端と反対側の側部３１２）の延在端部に当接片３１２２が一体的に形成してあり、スライダ保持部材３６の基部３６２における当接片３１２２に対向する領域に切欠部３６２２が形成してある。
【００４４】
これにより、外扉２０が本体キャビネット１の前面開口を閉成した状態が保持されている状態において、例えば心ない第三者により外扉２０に設けられた防盗板２４がめくられて例えばドライバ等の長尺状の棒状体である工具Ｋがスライダ開口３１１１から進入された場合でも、図１３に示すように、該工具Ｋの先端を当接片３１２２に当接させることができる。そのため、工具Ｋの先端及び中間部はいずれも同一部材であるスライダ３１に当接していることになり、先端を支点として工具Ｋを例えば上下方向に沿って揺動させても、てこの原理によりスライダ３１が変形してしまうだけで、スライダ３１がスライダ保持部材３６等と分離して、ロック位置から解除位置にスライド移動させられてしまう虞れがない。
【００４５】
以上説明したように、本実施の形態である自動販売機のロック装置によれば、連結部材３２が、シリンダーレバー３３が解錠移動する場合には、該シリンダーレバー３３に当接されることにより自身が変位してスライダ３１をロック位置から解錠位置に移動させる一方、シリンダーレバー３３が施錠移動する場合には、該施錠移動を常時許容するので、商品補充等の作業を行った後、外扉２０を閉移動させる場合に、キー挿入口にキーを再度挿入させる必要がなく、商品補充等の作業が煩雑なものとならない。また、規制部材３４が、自身が規制位置に位置している場合には、連結部材３２の上方への変位量を規制してスライダ３１がロック位置から解除位置へスライド移動することを抑制している一方、自身が許容位置に位置している場合には、連結部材３２の変位を許容するので、外扉２０が本体キャビネット１の前面開口を閉成した状態を保持している場合での防盗性を確保している。従って、商品補充等の作業の高効率化を図りながら、防盗性を良好に確保することができる。
【００４６】
また、上記ロック装置によれば、例えば工具Ｋ等がスライダ開口３１１１から進入された場合でも、該工具Ｋ等の先端がスライダ３１に一体的に形成された当接片３１２２に当接するので、スライダ３１がスライダ保持部材３６等と分離してロック位置から解除位置にスライド移動させられてしまう虞れがなく、これにより、スライダ３１がロック位置から解除位置に向けて移動することを防止できる。
【産業上の利用可能性】
【００４７】
以上のように、本発明に係る自動販売機のロック装置は、扉体が自動販売機本体の前面開口を閉成した状態を保持するのに有用である。
【符号の説明】
【００４８】
１  本体キャビネット
２０  外扉
３１  スライダ
３１１１  スライダ開口
３１２２  当接片
３２  連結部材
３２１  水平部
３２２  垂下部
３２３  フック部
３３  シリンダーレバー
３３１  楕円状部
３３２  ロッド部材
３４  規制部材
３４１  溝部
３４２  重錘部
３５  スライダ支持片
３６  スライダ保持部材
３６１１  掛部
３６２２  切欠部
３８  ガイド部材
Ｒ  ロック部材
Ｋ  工具
【図１】
2010262521.tif 000003
【図２】
2010262521.tif 000004
【図３】
2010262521.tif 000005
【図４】
2010262521.tif 000006
【図５】
2010262521.tif 000007
【図６】
2010262521.tif 000008
【図７】
2010262521.tif 000009
【図８】
2010262521.tif 000010
【図９】
2010262521.tif 000011
【図１０】
2010262521.tif 000012
【図１１】
2010262521.tif 000013
【図１２】
2010262521.tif 000014
【図１３】
2010262521.tif 000015